(57)【要約】【課題】扉全体に生じる反りをより確実に抑制することができる木製扉を提供する。【解決手段】木目方向が横目方向である第１の桐板２１と第１の桐板２１の両面にそれぞれ接合され木目方向が縦目方向である第２及び第３の桐板２２，２３とで構成される芯材２０と、芯材２０を構成する第２及び第３の桐板２２，２３の表面にそれぞれ貼り付けられた化粧板３０と、を具備し、第２及び第３の桐板２２，２３の表面には、第２及び第３の桐板２２，２３の木目方向と交差する方向に延びる複数の溝部２４Ａ，２４Ｂが設けられている構成とする。【選択図】図１
2011012473.tif 000002
【特許請求の範囲】
【請求項１】
木目方向が横目方向である第１の桐板と該第１の桐板の両面にそれぞれ接合され木目方向が縦目方向である第２及び第３の桐板とで構成される芯材と、該芯材を構成する前記第２及び第３の桐板の表面にそれぞれ貼り付けられた化粧板と、を具備し、
前記第２及び第３の桐板の表面には、当該第２及び第３の桐板の木目方向と交差する方向に延びる複数の溝部が設けられていることを特徴とする木製扉。
【請求項２】
前記溝部が、前記第２及び第３の桐板の木目方向に直交する方向に延設されていることを特徴とする請求項１に記載の木製扉。
【請求項３】
前記第２の桐板に形成された各溝部と前記第３の桐板に形成された各溝部とが、前記芯材の長手方向において重ならないように配されていることを特徴とする請求項１又は２に記載の木製扉。
【請求項４】
前記第２及び第３の桐板の表面には、同数の前記溝部が一定間隔で形成されていることを特徴とする請求項１〜３の何れか一項に記載の木製扉。
【請求項５】
前記溝部が、前記第２及び第３の桐板の前記化粧板が貼り付けられた面にそれぞれ設けられていることを特徴とする請求項１〜４の何れか一項に記載の木製扉。
【発明の詳細な説明】
【技術分野】
【０００１】
本発明は、例えば、住宅等の扉として用いられ、３枚の桐板が積層された３層クロス張り構造を有する芯材を用いた木製扉に関する。
【背景技術】
【０００２】
従来から、住宅等の扉として木製扉が使用されており、その構造は様々なものがある。例えば、住宅の玄関等に用いられる扉のように高級感や重厚感等が要求されるような場合には、木製扉の材料として１枚の天然木材が用いられていた。このように１枚の天然木材で製造された木製扉は、高級なイメージを得ることはできるもののコストが高くなってしまうという問題がある。
【０００３】
このため最近では、複数枚の木製板を積層したものを芯材とし、この芯材の表面に化粧板を接合することで、高級感といった要求を満たす木製扉が開発されてきている（例えば、特許文献１参照）。このような芯材と化粧板とで構成される木製扉は、一枚の天然木材で製造したものに比べて、大幅なコストの削減を図ることができる。
【０００４】
しかしながら、複数枚の木製板からなる芯材を用いた木製扉は、長期間の使用により芯材に反りが生じ、その結果、扉全体に反りが生じてしまうという問題があった。この扉の反りは、芯材内部の水分が暖かい方向から冷たい方向に移動し、これによって冷たい側の木材が膨張することで生じる現象であると考えられている。例えば、冬場に暖房の効いた室内と室外とで大きな温度差が生じた場合等に、玄関扉として採用した木製扉に反りが生じてしまう虞がある。
【０００５】
なお、木製扉の反りを防止するために、芯材を取り囲むように補強材が設けられたものもあるが、このような補強材を設けた構造としても、扉の反りを十分に防止することができていないのが実情である。また近年、木製扉に対して、さらなる低コスト化が要求されているが、補強材を用いると、木製扉を構成する部品点数が多くなり、また作製工数も多くなるため、結果としてコストが嵩んでしまっているのが実情である。
【０００６】
本願発明者は、このような問題を解決するために、３枚の桐板を特定の向きで積層した３層クロス張り構造を有する芯材を用いた木製扉を作り上げた。この木製扉によれば、骨組や框組等の補強材を不要としつつ、芯材の反りを有効に抑制すると共に、扉全体に反りが生じるのを有効に抑えることができ、しかも低コスト化を図ることができる（特許文献２参照）。
【先行技術文献】
【特許文献】
【０００７】
【特許文献１】特開２００４−２３２４４９号公報
【特許文献２】特許第３８６３５４９号公報
【発明の概要】
【発明が解決しようとする課題】
【０００８】
このような特許文献２に記載の木製扉の構造によっても、勿論、扉全体に生じる反りを有効に抑えることはできるが、木製扉は、その反りをさらに低減することが求められている。
【０００９】
本発明は、このような事情に鑑みてなされたものであり、扉全体に生じる反りをより確実に抑制することができる木製扉を提供することを目的とする。
【課題を解決するための手段】
【００１０】
上記課題を解決する本発明の第１の態様は、木目方向が横目方向である第１の桐板と該第１の桐板の両面にそれぞれ接合され木目方向が縦目方向である第２及び第３の桐板とで構成される芯材と、該芯材を構成する前記第２及び第３の桐板の表面にそれぞれ貼り付けられた化粧板と、を具備し、前記第２及び第３の桐板の表面には、当該第２及び第３の桐板の木目方向と交差する方向に延びる複数の溝部が設けられていることを特徴とする木製扉にある。
【００１１】
本発明の第２の態様は、前記溝部が、前記第２及び第３の桐板の木目方向に直交する方向に延設されていることを特徴とする第１の態様の木製扉にある。
【００１２】
本発明の第３の態様は、前記第２の桐板に形成された各溝部と前記第３の桐板に形成された各溝部とが、前記芯材の長手方向において重ならないように配されていることを特徴とする第１又は２の態様の木製扉にある。
【００１３】
本発明の第４の態様は、前記第２及び第３の桐板の表面には、同数の前記溝部が一定間隔で形成されていることを特徴とする第１〜３の何れか一つの態様の木製扉にある。
【００１４】
本発明の第５の態様は、前記溝部が、前記第２及び第３の桐板の前記化粧板が貼り付けられた面にそれぞれ設けられていることを特徴とする第１〜４の何れか一つの態様の木製扉にある。
【発明の効果】
【００１５】
本発明によれば、芯材の一方面側と他方面側との温度差が大きい環境下においても、芯材に反りが生じるのを有効に抑制することができ、扉の形状安定性を高めることができるという効果を奏する。
【図面の簡単な説明】
【００１６】
【図１】本発明の一実施形態に係る木製扉の概略斜視図である。
【図２】本発明の一実施形態に係る木製扉の縦断面図である。
【図３】本発明の一実施形態に係る木製扉の変更例を示す概略斜視図である。
【図４】本発明の一実施形態に係る木製扉の変更例を示す概略斜視図である。
【図５】本発明の一実施形態に係る木製扉の変更例を示す縦断面図である。
【図６】本発明の一実施形態に係る木製扉の変更例を示す縦断面図である。
【発明を実施するための形態】
【００１７】
以下、本発明を実施形態に基づいて説明する。
図１は、本発明の一実施形態に係る木製扉の概略斜視図である。また、図２は、本発明の一実施形態に係る木製扉の縦断面図である。
【００１８】
図１及び図２に示すように、本実施形態の木製扉１０は、例えば、住宅の玄関や宅内扉等に用いられるものであり、３枚の第１〜第３の桐板２１〜２３が積層された芯材２０と、この芯材２０の両面にそれぞれ貼り付けられた化粧板３０とで構成されている。
【００１９】
芯材２０は、中央に配される第１の桐板２１と、第１の桐板２１の両面にそれぞれ接合された第２及び第３の桐板２２，２３と、で構成されている。これら第１〜第３の桐板２１〜２３には、それぞれ所定方向の木目を有する桐板が用いられている。芯材２０の厚さ方向中央に配されている第１の桐板２１には、木目方向（繊維方向）が木製扉１０の横目方向（短手方向）に実質的に一致する桐板が用いられている。第２及び第３の桐板２２，２３には、木目方向が第１の桐板２１の木目方向とは略直交する方向、すなわち木製扉１０の縦目方向（長手方向）に実質的に一致する桐板が用いられている。
【００２０】
このように、芯材２０は所定方向の木目を有する３枚の第１〜第３の桐板２１〜２３が積層された、いわゆる３層クロス張り構造を有する。これにより、芯材２０に反りが生じるのを効果的に抑制することができる。すなわち芯材２０を第２及び第３の桐板２２，２３の反りが第１の桐板２１によって規制される。その結果、木製扉１０全体に生じる反りを効果的に低減することができる。
【００２１】
このように芯材２０を構成する第１の桐板２１は、第２及び第３の桐板２２，２３を支持する役割を果たしている。このため芯材２０を構成する第１の桐板２１の厚さは、第２及び第３の桐板２２，２３の厚さの１．５倍以上とするのが好ましく、さらに２．０倍以上とするのが好ましい。これにより、第２及び第３の桐板２２，２３が第１の桐板２１によって良好に支持されるため、芯材２０に反りが生じるのをより効果的に抑制することができる。
【００２２】
なお、芯材２０を構成する第１〜第３の桐板２１〜２３のそれぞれは、一枚板であってもよいし、短い寸法の板材を複数枚継ぎ合わせたものであってもよい。
【００２３】
化粧板３０は、例えば、接着剤、あるいはビス、タッカー針等を用いて芯材２０を構成する第２及び第３の桐板２２，２３の表面にそれぞれ直接貼り付けられている。化粧板３０は、天然の木材で形成されていれば、一枚板で形成されていてもよいし、集成材或いは積層材等で形成されていてもよい。
【００２４】
そして、このような木製扉１０の芯材２０を構成する第２及び第３の桐板２２，２３の表面には、これら第２及び第３の桐板２２，２３の木目方向とは交差する方向に延びる所定深さの複数の溝部２４Ａ，２４Ｂが設けられている。本実施形態では、各溝部２４Ａ，２４Ｂは、第２及び第３の桐板２２，２３の化粧板３０が貼り付けられた面に設けられ、これら第２及び第３の桐板２２，２３の木目方向とは直交する方向（横目方向）に延設されている。これら溝部２４Ａ，２４Ｂの数は、特に限定されないが、溝部２４Ａと溝部２４Ｂとは同数であることが好ましい。本実施形態では、第２及び第３の桐板２２，２３に、それぞれ３本の溝部２４Ａ，２４Ｂが形成されている。
【００２５】
ここで、第２の桐板２２に設けられる溝部２４Ａと、第３の桐板２３に設けられる溝部２４Ｂとは、芯材２０の長手方向において重ならないように形成されていることが好ましい。すなわち、図２に示すように、芯材２０の縦断面において各溝部２４Ａ，２４Ｂが、いわゆる千鳥状に配置されていることが好ましい。さらに、これら溝部２４Ａ，２４Ｂの間隔は、特に限定されないものの、芯材２０の長手方向において一定であることが好ましい。
【００２６】
例えば、本実施形態では、第２の桐板２２には、上端から２００ｍｍの位置を起点として、３本の溝部２４Ａが６００ｍｍの間隔で設けられている。一方、第３の桐板２３には、下端から２００ｍｍを起点として、３本の溝部２４Ｂが６００ｍｍの間隔で設けられている。すなわち、第２の桐板２２には、上端及び下端と各溝部２４Ａとの間隔が第２の桐板２２の上端側から１：３：３：３となるように各溝部２４Ａが形成されており、第３の桐板２３には、下端側から１：３：３：３となるように各溝部２４Ｂが形成されている。
【００２７】
また溝部２４Ａ，２４Ｂの大きさ（幅、深さ）は、特に限定されないが、溝部２４Ａ，２４Ｂの深さは、第２及び第３の桐板２２，２３を貫通しない程度に化粧板３０の厚さよりも深いことが好ましい。例えば、本実施形態では、化粧板３０が、２．５ｍｍ程度の厚さを有するのに対し、各溝部２４Ａ，２４Ｂは、幅３．０〜４．０ｍｍ、深さ３．０〜４．０ｍｍ程度に形成されている。
【００２８】
そして、このように第２及び第３の桐板２２，２３の表面に、所定の大きさの溝部２４Ａ，２４Ｂが所定数だけ設けられていることで、芯材２０の反りをより確実に抑えることができ、結果として扉全体に生じる反りを有効に抑えることができる。例えば、木製扉１０の一方面側と他方面側との温度差が大きい環境下においても、扉全体に生じる反りを有効に抑制することができ、扉の形状安定性を高めることができる。
【００２９】
なお溝部２４Ａ，２４Ｂが第２及び第３の桐板２２，２３を貫通して形成されていると、このような芯材２０の反りを抑制する効果は得られない。また溝部２４Ａ，２４Ｂは第２及び第３の桐板２２，２３に形成されていることで芯材２０の反りを抑制することができるのであって、第１の桐板２１に形成されていても十分な効果は得られない。第１の桐板２１にこのような溝部が設けられていると、逆に、芯材２０の剛性が低下してしまい反り量が増えてしまうことも考えられる。
【００３０】
また溝部２４Ａ，２４Ｂは、本実施形態では、第２及び第３の桐板２２，２３の端面に開口することなく形成されているが、図３に示すように、第２及び第３の桐板２２，２３の端面に開口して設けられていてもよい。この場合には、次のような効果が得られる。芯材２０の材料である「桐」は、遠赤外線やマイナスイオンを放出し、また防臭効果があることが知られている。そして、上述のように第２及び第３の桐板２２，２３に溝部２４Ａ，２４Ｂが第２及び第３の桐板２２，２３の端面に開口して設けられていることで、この遠赤外線の放出及び防臭効果が促進されるという効果がある。すなわち、溝部２４Ａ，２４Ｂ内で第２及び第３の桐板２２，２３に空気が接触するため、溝部２４Ａ，２４Ｂを設けない場合に比べて第２及び第３の桐板２２，２３に空気が接触する面積が大幅に増加するため、遠赤外線やマイナスイオンの放出及び防臭効果が促進される。
【００３１】
また、このように扉全体に反りが生じるのを抑制することができるため、本発明の木製扉１０には、芯材２０の反り防止のための補強材が必要ない。すなわち、芯材２０を取り囲むように補強材を設けなくても、扉全体に反りが生じるのを有効に抑制することができる。したがって、従来の木製扉と比較して、製造コストを大幅に削減することができる。
【００３２】
以上、本発明の一実施形態について説明したが、本発明はこの実施形態に限定されるものではなく、発明の主旨を逸脱しない範囲であれば、上述の実施形態に限定されるものではない。
【００３３】
例えば、各溝部２４Ａ，２４Ｂは、上述のように芯材２０の短手方向に沿って延設されていることが好ましいが、これに限定されるものではなく、例えば、図４に示すように、芯材２０の長手方向に沿って延設されていてもよい。
【００３４】
また、上述の実施形態では、溝部２４Ａ，２４Ｂとして断面が矩形形状のものを例示したが、溝部２４Ａ，２４Ｂの形状は特に限定されるものではない。例えば、図５（ａ）（ｂ）に示すように、溝部２４Ａ，２４Ｂの断面形状は、略半円形状や、三角形状等であってもよい。
【００３５】
また、上述の実施形態では、第２及び第３の桐板２２，２３の化粧板３０が貼り付けられた面に溝部２４Ａ，２４Ｂを設けるようにしたが、溝部２４Ａ，２４Ｂは、図６に示すように、第２及び第３の桐板２２，２３の第１の桐板２１側の面に設けられていてもよい。
【００３６】
さらに本発明の木製扉１０は、上述したように住宅の玄関扉等として好適に用いられるが、勿論、適用箇所は特に限定されず、例えば、室内用の扉として用いることもできる。
【符号の説明】
【００３７】
１０  木製扉
２０  芯材
２１  第１の桐板
２２  第２の桐板
２３  第３の桐板
２４Ａ，２４Ｂ  溝部
３０  化粧板
【図１】
2011012473.tif 000003
【図２】
2011012473.tif 000004
【図３】
2011012473.tif 000005
【図４】
2011012473.tif 000006
【図５】
2011012473.tif 000007
【図６】
2011012473.tif 000008